(57)【要約】【課題】開放状態から全閉状態の間で２枚の遮光羽根が開閉移動する際に、これら遮光羽根によって形成される光通過口の開口形状の、光軸に対する非対称性あるいは該光通過口の開口面積重心の偏芯を無くし、光学特性の向上を図ることが可能となる光量調節装置、光学装置および撮影装置を提供する。【解決手段】２枚の遮光羽根を装置内の光学系の光軸に対して互いに反対方向に移動させ、該２枚の遮光羽根による開放状態から全閉鎖状態までの開閉移動によって光通過口の開口面積を変化させ光量を調節する光量調節装置において、前記２枚の遮光羽根によって形成される光通過口の開口形状が、前記開放状態において光軸に対して非対称な形状を有する構成とする。【選択図】            図２
2005172883.tif 000002
【特許請求の範囲】
【請求項１】
２枚の遮光羽根と、これら２枚の遮光羽根に連結され回転軸を中心として該２枚の遮光羽根を反対方向に駆動する駆動レバーと、前記遮光羽根あるいは装置本体のうちの一方に設けられたガイド溝を他方に形成されたガイド軸に係合させ前記遮光羽根の移動をガイドするガイド部材とを有し、前記２枚の遮光羽根を装置内の光学系の光軸に対して互いに反対方向に移動させ、該２枚の遮光羽根による開放状態から全閉鎖状態までの開閉移動によって光通過口の開口面積を変化させ光量を調節する光量調節装置において、
前記２枚の遮光羽根によって形成される光通過口の開口形状が、前記開放状態において光軸に対して非対称な形状を有することを特徴とする光量調節装置。
【請求項２】
前記開放状態において光軸に対して非対称な形状は、前記２枚の遮光羽根が前記開閉移動した際に形成される光通過口の開口形状が、光軸に対して略対称形状になるように、その形状が設定されていることを特徴とする請求項１に記載の光量調節装置。
【請求項３】
前記開放状態において光軸に対して非対称な形状は、前記２枚の遮光羽根が前記開閉移動した際に形成される光通過口の開口形状が、前記光通過口の開口面積重心と光軸とが略一致するように、その形状が設定されていることを特徴とする請求項１に記載の光量調節装置。
【請求項４】
前記開放状態における非対称な開口形状が、該開口形状を形成する少なくとも一方の遮光羽根の開口縁部に対して前記光軸を通る垂線とが交わる位置での、該垂線によって隔てられた該開口縁の一方の領域と他方の領域において、前記垂線に対して該一方の領域の開口縁のなす角度と、前記垂線に対して該他方の領域の開口縁のなす角度とが、互いに異なる角度に設定されることにより形成されていることを特徴とする請求項１〜３のいずれか１項に記載の光量調節装置。
【請求項５】
前記２枚の遮光羽根は、該遮光羽根のいずれか一方がＮＤフィルターを有することを特徴とする請求項１〜４のいずれか１項に記載の光量調節装置。
【請求項６】
請求項１〜５のいずれか１項に記載の光量調節装置を有する光学系を備えたことを特徴とする光学装置。
【請求項７】
請求項１〜５のいずれか１項に記載の光量調節装置を有する撮影光学系を備えたことを特徴とする撮影装置。
【発明の詳細な説明】
【技術分野】
【０００１】
本発明は、光学装置（レンズ装置）および撮影装置に用いられる光量調節装置に関し、特に複数の遮光羽根を略反対方向に開閉駆動することによって光量を調節する光量調節装置に関するものである。
【背景技術】
【０００２】
デジタルカメラ、ビデオカメラ等の撮影装置又はレンズ鏡筒等を有する光学装置に用いられる光量調節装置として従来より図１２に示すような２枚羽根を開放状態から全閉状態の間で開閉移動する際に、互いに略反対方向に移動させるタイプの絞り装置がある。夫々の絞り羽根を直進駆動するために、絞り装置の地板に最低２本のガイド軸を設け、羽根側にはそれに係合するための直線状に延びるガイド溝が２本設けられている。このため、絞り装置の大きさは、どうしても絞り羽根の駆動方向に大きくなり、その結果、絞り装置を搭載する撮影レンズ装置の最外径が大きくなってしまっていた。
また、近年の撮影レンズ装置は、小型化の要求が非常に高いものとなっている。そこで、装置の小型化のために、ガイド軸を１本にすることでガイド溝を１本とし、羽根駆動方向の大きさを抑えたタイプ（いわゆる羽根揺動タイプの２枚羽根絞り装置）も知られている。
【０００３】
ところで、上記のようなガイド軸を１本にするタイプ（以下、揺動タイプという）の絞り装置では、両遮光羽根を駆動するための羽根駆動レバーの略両端に持つ遮光羽根との連結部の移動軌跡が、羽根駆動レバーの略中央部に設けられたレバー回転軸を中心とした円弧状となる一方、各遮光羽根に形成されたガイド溝部が直線状であるため、図４に示す通り、開放状態から全閉状態の間で開閉移動する際に、両遮光羽根が駆動面内である程度の回転運動を伴いながらの開閉移動となり、いわゆる揺動しながらの駆動となってしまう。
このため、たとえ、開放時の光通過口の開口面積重心が光軸に一致するように両遮光羽根の開口形成部分の形状を設定しても、開放から中間絞り域さらには小絞り域へと駆動する際に、光通過口の面積重心が光軸に対して偏心してしまうために、中間絞り域から小絞り域にかけて、均等な周辺光量が得られず、光学性能が劣化してしまうこととなる。
【０００４】
このような問題を解決するため、従来において、例えば特許文献１や特許文献２のような発明の提案がされている。
この従来例の特許文献１においては、図９に示すとおり、２枚の遮光羽根に設けられた移動ガイドするためのガイド溝のうち、少なくとも一方のガイド溝が曲線形状に形成されていることを特徴としている。これによると、遮光羽根の駆動時に開口面積の重心位置が光軸に略一定位置に維持されるように、上記ガイド溝の曲線形状を設定することによって、遮光羽根を揺動せずに、互いに略反対方向に移動させることを可能とすると共に、上記開口面積の重心をレンズ光軸もしくは撮影光軸に略一致させることが可能となっている。
【０００５】
また、上記従来例の特許文献２の発明においては、図１１に示すとおり、遮光羽根に設けられたガイド軸は直線であり、開放状態から全閉状態の間を開閉移動する間に２枚の遮光羽根はそれぞれ揺動しながらも、上記２枚の遮光羽根における光通過口を形成する部分の形状を、光通過口の面積の全可変範囲のうち開放面積よりも小さく小絞り面積より大きい範囲において、光通過口の面積重心と光軸とが略一致する形状に設定するように構成されている。
【特許文献１】特開２００２−７２２８４号公報
【特許文献２】特開２００２−１８２２６４号公報
【発明の開示】
【発明が解決しようとする課題】
【０００６】
しかしながら、上記従来例の特許文献１に記載の発明においては、遮光羽根の開閉移動時にその開口面積重心位置を光軸に対して略一定位置に維持させることができる一方で、開放状態から全閉状態の間を開閉移動する間に２枚の遮光羽根によって形成される光通過口の開口形状が、図８や図１０に示すように、その図示状態において光軸に対して上下方向及び左右方向に非対称な形状となってしまう。
【０００７】
また、上記従来例の特許文献２に記載の発明においては、遮光羽根の開閉移動時にその開口面積重心位置はその図示状態において光軸に対して上下方向においては略一致するように保たれるが、左右方向において光軸に対する偏芯が発生している。そのために開放状態から全閉状態の間を開閉移動する間に２枚の遮光羽根によって形成される光通過口の開口形状が、図５における従来例や図７に示すように、その図示状態において光軸に対して、左右方向において非対称な形状となってしまう。
【０００８】
これら従来例による遮光羽根の開閉移動する間の開口面積重心位置を、光軸に対して略一定位置に維持する手法を用いても、絞り装置が搭載される撮像装置又はレンズ装置によっては、これらの従来技術では遮光羽根が開放状態から全閉状態の間を開閉移動する間に２枚の遮光羽根によって形成される光通過口の開口形状の光軸に対する非対称な形状によって、ビデオカメラ等の撮像装置又はレンズ鏡筒等を有する光学装置の結像面において均等な光量が得られずに、周辺光量のアンバランスなどを生じ、光学性能が劣化してしまうという問題が発生してしまう。
【０００９】
そこで、本発明は、上記課題を解決し、開放状態から全閉状態の間で２枚の遮光羽根が開閉移動する際に、これら遮光羽根によって形成される光通過口の開口形状の、光軸に対する非対称性あるいは該光通過口の開口面積重心の偏芯を無くし、光学特性の向上を図ることが可能となる光量調節装置、光学装置（レンズ装置）および撮影装置を提供することを目的とするものである。
【課題を解決するための手段】
【００１０】
本発明は、以下のように構成した光量調節装置、光学装置（レンズ装置）および撮影装置を提供するものである。
すなわち、本発明の光量調節装置は、２枚の遮光羽根と、これら２枚の遮光羽根に連結され回転軸を中心として該２枚の遮光羽根を反対方向に駆動する駆動レバーと、前記遮光羽根あるいは装置本体のうちの一方に設けられたガイド溝を他方に形成されたガイド軸に係合させ前記遮光羽根の移動をガイドするガイド部材とを有し、前記２枚の遮光羽根を装置内の光学系の光軸に対して互いに反対方向に移動させ、該２枚の遮光羽根による開放状態から全閉鎖状態までの開閉移動によって光通過口の開口面積を変化させ光量を調節する光量調節装置において、前記２枚の遮光羽根によって形成される光通過口の開口形状が、前記開放状態において光軸に対して非対称な形状を有することを特徴としている。
また、本発明の光量調節装置は、前記開放状態において光軸に対して非対称な形状は、前記２枚の遮光羽根が前記開閉移動した際に形成される光通過口の開口形状が、光軸に対して略対称形状になるように、その形状が設定されていることを特徴としている。
また、本発明の光量調節装置は、前記開放状態において光軸に対して非対称な形状は、前記２枚の遮光羽根が前記開閉移動した際に形成される光通過口の開口形状が、前記光通過口の開口面積重心が光軸と略一致するように、その形状が設定されていることを特徴としている。
また、本発明の光量調節装置は、前記開放状態における非対称な開口形状を、該開口形状を形成する少なくとも一方の遮光羽根の開口縁部に対して前記光軸を通る垂線とが交わる位置での、該垂線によって隔てられた該開口縁の一方の領域と他方の領域において、前記垂線に対して該一方の領域の開口縁のなす角度と、前記垂線に対して該他方の領域の開口縁のなす角度とが、互いに異なる角度に設定することによって形成する構成を採ることができる。
また、本発明の光量調節装置は、前記２枚の遮光羽根は、該遮光羽根のいずれか一方がＮＤフィルターを有するように構成することができる。
また、本発明の光学装置は、上記したいずれかに記載の光量調節装置を有する光学系を備えたことを特徴としている。
また、本発明の撮影装置は、上記したいずれかに記載の光量調節装置を有する撮影光学系を備えたことを特徴としている。
【発明の効果】
【００１１】
本発明によれば、開放状態から全閉状態の間で２枚の遮光羽根が開閉移動する際に、これら遮光羽根によって形成される光通過口の開口形状の、光軸に対する非対称性あるいは該光通過口の開口面積重心の偏芯を無くし、光学特性の向上を図ることが可能となる光量調節装置、光学装置および撮影装置を実現することができる。特に、本発明は羽根揺動タイプの絞り装置に有効であり、小型で光学性能への影響の少ない光量調整装置、更にはそれを搭載した光学装置・撮影装置を実現することが可能となる。
【発明を実施するための最良の形態】
【００１２】
従来において、開口部の頂角を形成する部分を光軸に対して左右対称形状とするのが一般的であったが、このような従来技術の構成のもとでは開放から小絞り域の全域において光通過口の開口面積重心光軸に対して略一致した位置に保てず、開口部の形状も光軸に対して非対称となってしまうこととなる。これに対して、本発明においては、例えばつぎに説明する実施形態での構成例のように、開放時における開口形状を光軸に対して左右非対称となるように構成し、これにより、絞り装置における絞りの開放状態から中間絞り域、さらには小絞り域において、光軸と開口面積重心を光軸に略一致させることができ、さらには遮光羽根による開口形状を光軸に対して左右方向及び上下方向に略対称な形状とすることが可能となる。
【００１３】
以下に、このような本発明の実施の形態における光量調整装置について、図を用いて詳細に説明する。図１および図３に、本発明の実施形態である絞り装置（光量調節装置）の構成例を示す。また、図２に、本発明の実施形態である遮光羽根の開放時における開口形状部を示す。
図１および図３において、１１は遮光羽根を開閉するためのトルクを発生する駆動アクチュエータである。このアクチュエータ１１は地板１２により保持されている。地板１２には、固定絞り１２ｃが形成されている。アクチュエータ１１の出力軸には、遮光羽根駆動レバー１３の略中間部が連結保持されており、１３ａは羽根駆動レバーの回転軸である。この遮光羽根駆動レバー１３の略両端には、遮光羽根との連結軸１３ｂ、１３ｃがそれぞれ形成されている。
【００１４】
１４は第一の遮光羽根であり、遮光羽根１４に設けられた連結穴１４ａが、遮光羽根駆動レバー１３の連結軸１３ｂに対して回動可能に径嵌合し、これにより遮光羽根駆動レバー１３と遮光羽根１４が連結される。また、遮光羽根１４には、図中、上下方向に直線状に延びるガイド溝（被ガイド部）１４ｂが形成されており、このガイド溝部１４ｂには、地板１２に設けられたガイド軸１２ｂが係合している。
【００１５】
１５は第二の遮光羽根であり、遮光羽根１５に設けられた連結穴１５ａが、遮光羽根駆動レバー１３の連結軸１３ｃに対して回動可能に径嵌合し、これにより遮光羽根駆動レバー１３と遮光羽根１５が連結される。また、遮光羽根１５には、図中、上下方向に直線状に延びるガイド溝（被ガイド部）１５ｂが形成されており、このガイド溝部１５ｂには、地板１２に設けられたガイド軸１２ａが係合している。
【００１６】
このように構成される絞り装置において、駆動アクチュエータ１１を駆動して遮光羽根駆動レバー１３を回動させると、遮光羽根駆動レバー１３に連結された第一の遮光羽根１４および第二の遮光羽根１５は、上記ガイド溝１４ｂ、１５ｂと地板１２のガイド軸１２ｂ、１２ａとの係合によって移動ガイドされながら、光軸直交面もしくはその傾斜面内で互いに略反対方向に駆動される。これにより、両遮光羽根１４、１５により形成される光通過口の開口面積が開放状態から全閉状態の間で変化し、光量が調節される。
【００１７】
この絞り装置においては、遮光羽根駆動レバー１３の回動による遮光羽根駆動レバー１３の連結軸１３ｂ、１３ｃ及び遮光羽根１４，１５の連結穴１４ａ、１５ａの移動軌跡は、遮光羽根駆動レバー１３の回転軸１３ａを中心とする円弧状になっている。一方、地板１２のガイド軸１２ｂ、１２ａが係合している遮光羽根１４，１５に形成されたガイド溝１４ｂ、１５ｂは直線状に延びているため、遮光羽根１４，１５は開放から全閉状態への開閉動作中に直線運動をせずに、連結部１４ａ、１５ａを中心とした若干の回転運動を伴うため、図４に示すように揺動しながら開閉動作をして光通過口の開口形状を変化させることになる。
【００１８】
以上のように構成された絞り装置において、従来技術のように開口部の頂角を形成する部分を光軸に対して左右対称形状とすれば、開放から小絞り域の全域において光通過口の開口面積重心光軸に対して略一致した位置に保てず、開口部の形状も光軸に対して非対称となってしまうこととなる。
これらの点を、本発明の実施の形態の構成例を示す図２を用いて更に説明すると、従来、遮光羽根の開口部形状は光軸に対し対称形状とするのが一般的であり、本発明の実施の形態の構成例と相違し、第一の遮光羽根１４においては開口部の頂角を形成する部分１４ｃ、１４ｄの角度を等しくする、すなわちＡ＝Ｂとすることで、図２の図示状態においては光軸に対して左右対称形状とするのが一般的であった。
【００１９】
これに対して、本発明の実施の形態においては、開口部の頂角を形成する部分１４ｃ、１４ｄの角度は異なる設定、すなわちＡ≠Ｂとしている。よって、開放時における開口形状は、図２の図示状態においては光軸に対して左右非対称となっている。第二の遮光羽根に関しても同様であり、開口形状部の頂角を形成する部分１５ｃ、１５ｄの角度は異なる設定、すなわちＡ≠Ｂとしており、開放時における開口形状は、図２の図示状態においては光軸に対して左右非対称となっている。
このような設定とすることにより、前記の揺動タイプの絞り装置において、絞りの開放状態から中間絞り域、さらには小絞り域において、光軸と開口面積重心を光軸に略一致させることができ、さらには遮光羽根による開口形状を光軸に対して左右方向及び上下方向に略対称な形状とすることが可能となる。
【００２０】
図６は、本実施の形態の絞り装置における絞り開口部の開口形状変化を示す。従来技術である図７及び図８が、図示状態において開口形状を光軸に対して左右もしくは上下方向に非対称としながら変化しているのに対して、本実施形態である図６においては、中間絞りから小絞り域にかけて、開口形状が、図示状態において光軸に対して上下及び左右方向において、略対称な形状を得ることが可能となっている。
尚、図６では開放側において、図中下側の開口形状が上側に対して、大きく退避してしまっているが、実際には地板に形成された固定絞りが存在している為に、これによる光学性能への影響はないといえる。
【００２１】
上記本発明の実施の形態では、２枚の遮光羽根に対して開口部形状を光軸に対して非対称な形状としたが、必要に応じて、どちらか一方の遮光羽根に対してのみの実施でもよい。
また、上記本発明の実施の形態では、遮光羽根の開口形状部形状を光軸に対して、開放時に図２の図示状態において左右非対称形状になるように設定しているが、従来同様設定の開口部形状が図２の図示状態において左右対称形状の遮光羽根を開放時に傾くように設置することで、上記実施形態と同じ効果を得られるようにしてもよい。
また、遮光羽根の左右非対称は、０．５°＜｜Ａ−Ｂ｜＜１０°の範囲になることが望ましい。更には、１°＜｜Ａ−Ｂ｜＜６°の範囲になるとより良好になる。
【００２２】
また、絞り装置の構成において、地板１２にガイド軸１２ａ、１２ｂを、遮光羽根１４、１５にガイド溝１４ｂ、１５ｂを設けた場合について説明したが、地板１２にガイド溝を、遮光羽根１４、１５にガイド軸を設けるようにしてもよい。
さらに、遮光羽根駆動レバー１３に連結軸１３ｂ、１３ｃを、遮光羽根１４、１５に連結穴１４ａ、１５ａを設けた場合について説明したが、遮光羽根駆動レバー１３に連結穴を、遮光羽根１４、１５に連結軸を設けるようにしてもよい。
その他においても、上記実施の形態において示した各部の具体的な形状や構造は、何れも本発明を実施するに当たり具体化した一例を示したものである。
尚、上記絞り装置の構成例においては示していないが、いずれかの遮光羽根にＮＤフィルタを設けた絞り装置においても同様な実施形態をとることが可能である。
【００２３】
上記した本発明の実施の形態における光量調節装置によれば、特に、開放状態から全閉状態の間で開閉移動する際に、両遮光羽根が駆動面内である程度の回転運動を伴いながら開閉移動する、いわゆる揺動タイプの絞り装置において、絞りの開放状態から中間絞り域、さらには小絞り域において、光軸と開口面積重心を光軸に略一致させることができ、さらには遮光羽根による開口形状を光軸に対して左右方向及び上下方向に略対称な形状とすることが可能となることにより、ビデオカメラ等の撮像装置又はレンズ装置の結像面において、均等な周辺光量を得ることができ、光学性能の劣化のない光量調節装置を実現することが可能となる。
【００２４】
図１３（Ａ），（Ｂ）には、本発明の実施の形態における光量調節装置を備えた絞りユニットを含む４群レンズ構成のビデオカメラ用のズームレンズ鏡筒（光学装置）の構成例を示している。なお、（Ｂ）は（Ａ）におけるＡ−Ａ線断面を示している。
このズームレンズを構成する４つのレンズ群２０１ａ〜２０１ｄは、固定された前玉レンズ２０１ａ、光軸に沿って移動することで変倍動作を行うバリエーターレンズ群２０１ｂ、固定されたアフォーカルレンズ２０１ｃ、および光軸に沿って移動することで変倍時の焦点面維持と焦点合わせを行うフォーカシングレンズ群２０１ｄからなる。
【００２５】
ガイドバー２０３，２０４ａ，２０４ｂは光軸２０５と平行に配置され、移動するレンズ群の案内および回り止めを行う。ＤＣモーター２０６はバリエーターレンズ群２０１ｂを移動させる駆動源となる。
前玉レンズ２０１ａは前玉鏡筒２０２に保持され、バリエーターレンズ群２０１ｂはＶ移動環２１１に保持されている。また、アフォーカルレンズ２０１ｃは中間枠２１５に、フォーカシングレンズ群２０１ｄはＲＲ移動環２１４に保持されている。
前玉鏡筒２０２は、後部鏡筒２１６に位置決め固定されており、両鏡筒２０２，２１６によってガイドバー２０３が位置決め支持されているとともに、ガイドスクリュウ軸２０８が回転可能に支持されている。このガイドスクリュウ軸２０８は、ＤＣモータ２０６の出力軸２０６ａの回転がギア列２０７を介して伝達されることにより回転駆動される。
【００２６】
バリエーターレンズ群２０１ｂを保持するＶ移動環２１１は、押圧ばね２０９とこの押圧ばね２０９の力でガイドスクリュウ軸２０８に形成されたスクリュー溝２０８ａに係合するボール２１０とを有しており、ＤＣモータ２０６によってガイドスクリュー軸２０８が回転駆動されることにより、ガイドバー２０３にガイドおよび回転規制されながら光軸方向に進退移動する。
後部鏡筒２１６とこの後部鏡筒２１６に位置決めされた中間枠２１５にはガイドバー２０４ａ，２０４ｂが嵌合支持されている。ＲＲ移動環２１４は、これらガイドバー２０４ａ，２０４ｂによってガイドおよび回転規制されながら光軸方向に進退可能である。
また、中間枠２１５には、上記実施形態の絞りユニット２３５（モータ２２４）が取り付けられている。これにより、絞りユニット２３５は、バリエーターレンズ群２０１ｂとアフォーカルレンズ２０１ｃとの間に配置される。
フォーカシングレンズ群２０１ｄを保持するＲＲ移動環２１４には、ガイドバー２０４ａ，２０４ｂにスライド可能に嵌合するスリーブ部が形成されており、またラック２１３が光軸方向についてＲＲ移動環２１４と一体的となるように組み付けられている。
【００２７】
ステッピングモーター２１２は、その出力軸に一体形成されたリードスクリュー２１２ａを回転駆動する。リードスクリュー２１２ａにはＲＲ移動環２１４に組み付けられたラック２１３が係合しており、リードスクリュー２１２ａが回転することによって、ＲＲ移動環２１４がガイドバー２０４ａ，２０４ｂによりガイドされながら光軸方向に移動する。
なお、バリエーターレンズ群の駆動源としては、フォーカシングレンズ群の駆動源と同様にステッピングモータを用いてもよい。
そして、前玉鏡筒２０２、中間枠２１５および後部鏡筒２１６により、レンズ等を略密閉収容するレンズ鏡筒本体が形成される。
また、このようなステッピングモータを用いてレンズ群保持枠を移動させる場合には、フォトインタラプタ等を用いて保持枠が光軸方向の１つの基準位置に位置することを検出した後に、ステッピングモータに与える駆動パルスの数を連続的にカウントすることにより、保持枠の絶対位置を検出する。
【００２８】
図１４には、上記図１３で説明したズームレンズ鏡筒を撮影光学系として備えた撮影装置におけるカメラ本体の電気的構成を示している。この図において、図１３にて説明したレンズ鏡筒の構成要素については、図１３と同符号を付す。
２２１はＣＣＤ等の固体撮像素子、２２２はバリエーターレンズ群２０１ｂの駆動源であり、モーター２０６（又はステッピングモーター）、ギア列２０７およびガイドスクリュー軸２０８等を含む。
２２３はフォーカシングレンズ群２０１ｄの駆動源であり、ステッピングモーター２１２、リードスクリュー軸２１２ａおよびラック２１３等を含む。
２２４はバリエーターレンズ群２０１ｂとアフォーカルレンズ２０１ｃとの間に配置された、上記実施形態の絞りユニット２３５の駆動源としてのモーターである。
【００２９】
２２５はズームエンコーダー、２２７はフォーカスエンコーダーである。これらのエンコーダーはそれぞれ、バリエーターレンズ群２０１ｂおよびフォーカシングレンズ群２０１ｄの光軸方向の絶対位置を検出する。なお、図１３に示すようにバリエーター駆動源としてＤＣモーターを用いる場合には、ボリューム等の絶対位置エンコーダーを用いたり、磁気式のものを用いたりする。
また、駆動源としてステッピングモーターを用いる場合には、前述したような基準位置に保持枠を配置してから、ステッピングモーターに入力する動作パルス数を連続してカウントする方法を用いるのが一般的である。
２２６は絞りエンコーダーであり、モーター等の絞り駆動源２２４の内部にホール素子を配置し、ローターとステーターの回転位置関係を検出する方式のものなどが用いられる。
【００３０】
２３２は本カメラの制御を司るＣＰＵである。２２８はカメラ信号処理回路であり、固体撮像素子２２１の出力に対して所定の増幅やガンマ補正などを施す。これらの所定の処理を受けた映像信号のコントラスト信号は、ＡＥゲート２２９およびＡＦゲート２３０を通過する。即ち、露出決定およびピント合わせのために最適な信号の取り出し範囲が全画面内のうちこのゲートで設定される。このゲートの大きさは可変であったり、複数設けられたりする場合がある。
２３１はＡＦ（オートフォーカス）のためのＡＦ信号を処理するＡＦ信号処理回路であり、映像信号の高周波成分に関する１つもしくは複数の出力を生成する。２３３はズームスイッチ、２３４はズームトラッキングメモリである。
【００３１】
ズームトラッキングメモリ２３４は、変倍に際して被写体距離とバリエーターレンズ位置に応じてセットすべきフォーカシングレンズ位置の情報を記憶する。なお、ズームトラッキングメモリとしてＣＰＵ２３２内のメモリを使用してもよい。
例えば、撮影者によりズームスイッチ２３３が操作されると、ＣＰＵ２３２は、ズームトラッキングメモリ２３４の情報をもとに算出したバリエーターレンズとフォーカシングレンズの所定の位置関係が保たれるように、ズームエンコーダー２２５の検出結果となる現在のバリエーターレンズの光軸方向の絶対位置と算出されたバリエーターレンズのセットすべき位置、およびフォーカスエンコーダー２２７の検出結果となる現在のフォーカスレンズの光軸方向の絶対位置と算出されたフォーカスレンズのセットすべき位置がそれぞれ一致するように、ズーム駆動源２２２とフォーカスシング駆動源２２３を駆動制御する。
【００３２】
また、オートフォーカス動作ではＡＦ信号処理回路２３１の出力がピークを示すように、ＣＰＵ２３２は、フォーカシング駆動源２２３を駆動制御する。
さらに、適正露出を得るために、ＣＰＵ２３２は、ＡＥゲート２２９を通過したＹ信号の出力の平均値を所定値として、絞りエンコーダー２２６の出力がこの所定値となるように絞り駆動源２２４を駆動制御して、絞りユニット２３５の開口径をコントロールする。
尚、以上においては、ビデオカメラ用のレンズ鏡筒について説明したが、本発明は、静止画カメラその他の撮像装置やこれら用のレンズ鏡筒等にも適用可能である。
【実施例】
【００３３】
つぎに、本発明の実施例について説明する。
図５では、ある光学装置における上記実施形態の絞り装置での両遮光羽根の光通過口の開口形状部角度Ａと角度Ｂによる頂角設定の２つの実施例をあげ、その際の光通過口の開口形状の変化および開口面積重心の変化を示している。また、同時に比較例として従来例の特許文献２に記載された発明における手法を用いたものも示した。
いずれの例においても、メカ開放時の下側の開口形状が上側に比較してより光軸１から離れる設定となっているために、メカ開放時からＦ１．６にかけて、開口面積重心２が光軸１から下に大きくずれている。これは特許文献２に開示されていように、中間絞り域から小絞り域にかけての開口面積重心２の光軸１からのずれを抑制するためである。メカ開放側においては前述の通り、絞り装置の地板に形成された固定絞り１２ｃが存在するために、実際のレンズ鏡筒等の光学装置においては、光学性能への影響はないといえる。
【００３４】
図５における実施例１は、上記実施形態における遮光羽根の頂角部の角度設定を、Ａ＝６０°、Ｂ＝６５°に設定した例である。この場合、開口面積重心２は、Ｆ２．８から小絞り側の領域において、光軸１に略一致したまま保たれており、開口形状も光軸に対して上下及び左右方向において略対称な形状となっている。但し、Ｆ２．０においては開口面積重心が光軸に対して右側にずれている。
実施例２は、上記実施形態における遮光羽根の頂角部の角度設定を、Ａ＝６０°、Ｂ＝６２°に設定した例である。Ｆ２．８から小絞り側の領域における開口面積重心の光軸からのズレや開口形状の非対称性の改善量は、実施例１に比較すると小さいものであるが、Ｆ２．０においては開口面積重心が光軸に対して略一致している。
【００３５】
以上のいずれの実施例においても、従来例に比較すると開放から小絞り域へと開口面積が変化する過程において発生している開口面積重心の光軸に対する左右方向のズレ及び開口形状の非対称性は改善されている。
上記実施例に示されるように、使用する絞り装置や光学装置の構成や特性によって、開口部の頂角の設定を選択することにより、光通過口の開口形状の非対称性や開口面積重心のズレを改善するポイントを中間絞り付近を重視した設定としたり、より小絞り側を重視した設定としたりすることが可能となる。
【図面の簡単な説明】
【００３６】
【図１】本発明の実施形態である光量調節装置の正面図。
【図２】本発明の実施形態である光量調節装置の開放時の遮光羽根を表す図。
【図３】本発明の実施形態である光量調節装置の分解斜視図。
【図４】揺動タイプ絞り装置における遮光羽根の移動軌跡を表す図。
【図５】本発明及び従来の光量調節装置における遮光羽根による開口形状の変化及び開口面積重心位置を図示した図。
【図６】本発明の光量調節装置による絞り開口形状の変化を表す図。
【図７】従来の光量調節装置による絞り開口形状の変化を表す図。
【図８】従来の光量調節装置による絞り開口形状の変化を表す図。
【図９】従来例である特許文献１の絞りユニットの構成図（光軸方向視図）。
【図１０】従来例である特許文献１の絞りユニットにおける各構成部材の移動軌跡を表す図。
【図１１】従来例である特許文献２の光量調節装置の正面図。
【図１２】従来例の光量調節装置の正面図。
【図１３】本発明の実施の形態における光量調節装置を備えるズームレンズ鏡筒の断面図。
【図１４】上記図１３のズームレンズ鏡筒を備えた撮影装置の電気回路を示すブロック図。
【符号の説明】
【００３７】
１：撮像装置又はレンズ装置の光軸
２：遮光羽根による開口面積重心
１１：絞り装置の羽根駆動アクチュエータ
１２：絞り装置の地板
１２ａ、１２ｂ：地板のガイド軸
１２ｃ：地板の固定絞り
１３：絞り装置の羽根駆動レバー
１３ａ：羽根駆動レバーの回転軸
１３ｂ、１３ｃ：羽根駆動レバーの連結軸
１４、１５：絞り装置の遮光羽根
１４ａ、１５ａ：遮光羽根の連結穴
１４ｂ、１５ｂ：遮光羽根のガイド溝
１４ｃ、１４ｄ、１５ｃ、１５ｄ：遮光羽根の開口形状形成部
１６：絞り装置の遮光羽根押さえ板金
Ａ、Ｂ：遮光羽根の開口形状の頂角部を表す角度
【図１】
2005172883.tif 000003
【図２】
2005172883.tif 000004
【図３】
2005172883.tif 000005
【図４】
2005172883.tif 000006
【図５】
2005172883.tif 000007
【図６】
2005172883.tif 000008
【図７】
2005172883.tif 000009
【図８】
2005172883.tif 000010
【図９】
2005172883.tif 000011
【図１０】
2005172883.tif 000012
【図１１】
2005172883.tif 000013
【図１２】
2005172883.tif 000014
【図１３】
2005172883.tif 000015
【図１４】
2005172883.tif 000016